(57)【要約】【課題】従来、酸素を浴室に供給して、快適な入浴を楽しもうとした場合、ジェットバスシステム等の大掛かりなシステムが必要であるという課題を有していた。【解決手段】ポンプ１８により浴槽２１の湯を循環する追い焚き循環回路２０と、前記浴槽２１に設けた風呂アダプタ２２と、高濃度の酸素を供給する酸素富化装置２６と、前記酸素富化装置２６からの高濃度の酸素を追い焚き循環回路２０に混入させる混入手段２７とを有し、前記追い焚き循環回路２０に混入させた高濃度の酸素を前記風呂アダプタ２２より噴出させるとき、前記風呂アダプタ２２の噴出し方向を変更可能な構成としてある。【選択図】  図１
2004321381.tif 000002
【特許請求の範囲】
【請求項１】
ポンプにより浴槽の湯を循環する追い焚き循環回路と、前記浴槽に設けた風呂アダプタと、高濃度の酸素を供給する酸素富化装置と、前記酸素富化装置からの酸素を追い焚き循環回路に混入させる混入手段とを有し、前記追い焚き循環回路に混入させた酸素を前記風呂アダプタより噴出させるとき、前記風呂アダプタの噴出し方向を変更可能な構成とした酸素富化給湯装置。
【請求項２】
風呂アダプタの噴出し方向を浴槽水温度に応じて可変とし、温度がある一定の温度以上の場合は略下向きに、それ以外の場合は略水平方向になるように構成した請求項１に記載の酸素富化給湯装置。
【請求項３】
風呂アダプタの噴出し方向変更手段として形状記憶合金を用い、浴槽水温度に応じて噴出し方向を変える構成とした請求項２に記載の酸素富化給湯装置。
【請求項４】
追い焚き湯温を検知するセンサーと外部入出力装置を備えた請求項１〜３のいずれか１項記載の酸素富化給湯装置。
【請求項５】
音声出力付きの外部入出力装置を備えた請求項４記載の酸素富化給湯装置。
【発明の詳細な説明】
【０００１】
【発明の属する技術分野】
本発明は追焚き循環回路を有する給湯器の追焚き配管を利用して、浴槽内の浴水中に酸素を供給する機能を有する給湯装置に関するものである。
【０００２】
【従来の技術】
従来、この種の酸素供給装置は図３に示すように、ジェットバス等の浴槽１に浴槽水を循環させる管路２に気体を供給する供給部３を設け、この供給部３に酸素富化空気を供給するための酸素富化装置７を設けることで、循環ポンプ８により吸入口４から吸入した浴槽水を循環させ、その途中で酸素富化装置７より供給される気体を混入させて吐出口５より浴槽１内に供給するようにしている（例えば特許文献１参照）。
【０００３】
【特許文献１】
特開平４−２３４７号公報
【０００４】
【発明が解決しようとする課題】
しかしながら、上記従来の構成では、ジェット配管の管路の途中に酸素供給部を設け、この供給部に酸素富化空気を供給するものであるため、酸素を浴槽に供給するためには、ジェットバスのシステムを有することが必要であり、簡単に家庭に設置できるものではなかった。また、ジェットバスの流量が大きいため、電気代や騒音等の関連で長時間使用することが難しく、十分な酸素を供給することもできないという課題を有していた。
【０００５】
本発明は上記従来の課題を解決するもので、ポンプにより浴槽の湯を循環させる追い焚き循環回路を有する給湯機の前記追焚き循環回路に、酸素富化装置からの高濃度の酸素を混入させ、浴槽内に取り付ける前記風呂アダプタの噴出し方向を可変とすることにより、少ない循環流量で入浴中のユーザおよび浴槽中央から浴槽全体に酸素を供給し、かつ安全に追い焚きができる（入浴中のユーザに追い焚き湯を直接当てることがない）構成とし、追い焚き湯温を検知するセンサーを備え外部入出力装置に表示することにより、さらなる安全が確保でき、ジェットバスのシステムを有することなく安価に取り付けでき、かつ循環流量も少ないので、長時間の酸素供給も可能な装置を提供することを目的とする。
【０００６】
【課題を解決するための手段】
上記従来の課題を解決するため本発明の酸素富化給湯装置は、ポンプにより浴槽の湯を循環する追い焚き循環回路と、前記浴槽に設けた風呂アダプタと、高濃度の酸素を供給する酸素富化装置と、前記酸素富化装置からの高濃度の酸素を追い焚き循環回路に混入させる混入手段とを有し、前記追い焚き循環回路に混入させた高濃度の酸素を前記風呂アダプタより噴出させるとき、前記風呂アダプタの噴出し方向を変更可能な構成としたものである。
【０００７】
上記発明によれば、常に使用する追焚き装置に酸素富化装置を追加するだけで、より高濃度の酸素を簡単に得ることができるようになる。
【０００８】
【発明の実施の形態】
請求項１に記載の発明は，  ポンプにより浴槽の湯を循環する追い焚き循環回路と、前記浴槽に設けた風呂アダプタと、高濃度の酸素を供給する酸素富化装置と、前記酸素富化装置からの高濃度の酸素を追い焚き循環回路に混入させる混入手段とを有し、前記追い焚き循環回路に混入させた高濃度の酸素を前記風呂アダプタより噴出させるとき、前記風呂アダプタの噴出し方向を変更可能な構成としたことを特徴としたものであり、この構成により、混入手段によって酸素富化装置からの高濃度の酸素は追焚き配管の中の湯または水に混入され、この酸素が混入された湯または水が浴槽に取りつけた風呂アダプタから噴出するときに、高濃度の酸素が気泡となって浴槽水の中を通過し、少ない循環流量で入浴中のユーザおよび浴槽中央から浴槽全体に酸素を供給し、その後浴室内に充満するようになる。この結果、入浴中の人が高濃度の酸素を吸いながら湯につかることで、温浴効果を促進したり、居眠りを防止したりできる。
【０００９】
また、浴槽中央から浴槽全体に酸素が溶け込むことにより雑菌の発生を抑え、ぬめりや臭いを減少させる効果も期待できる。
【００１０】
請求項２に記載の発明は、風呂アダプタの噴出し方向を浴槽水温度に応じて可変とし、温度がある一定の温度以上の場合は略下向きに、それ以外の場合は略水平方向になるように構成したことを特徴としたものであり、浴槽水温度に応じて酸素の吐出方向が変化するため入浴感を向上させることができるとともに、入浴中のユーザに追い焚き湯を直接当てることなく安全に追い焚きが可能である。
【００１１】
請求項３に記載の発明は、風呂アダプタの噴出し方向変更手段として形状記憶合金を用い、浴槽水温度に応じて噴出し方向を変える構成としたことを特徴とするものであり、自動的に噴出角度が変化しユーザが意識することなく安全に追い焚きが可能である。
【００１２】
請求項４に記載の発明は、追い焚き湯温を検知するセンサーと外部入出力装置を備えた構成とすることによって、風呂アダプタから噴出する追い焚き湯温を外部入出力装置に表示し、ユーザへの注意を促すことが可能になる。
【００１３】
請求項５に記載の発明は、追い焚き湯温を音声で知らせる外部入出力装置を備えた構成とすることによって、風呂アダプタから噴出する追い焚き湯温に対してのユーザへの更なる注意を促すことが可能になる。
【００１４】
【実施例】
（実施例１）
図１は、本発明の第１の実施例における酸素富化給湯装置の全体構成図を示すものである。
【００１５】
９は給湯装置本体、１０は熱交換器１２を加熱するバーナ、１１はバーナ１０に燃焼空気を送るバーナファン、１３は燃焼空気の排気口、１４は給湯回路で、給湯入口１５から入った水が熱交換器１２で加熱されて給湯出口１６から出、カラン１７等から吐出される。１８は追い焚き循環回路２０に設けられた風呂ポンプで、これから出た循環水はパイプ１９を通りながら熱交換器１２で加熱された後、混入手段２７で酸素富化空気を混入される。２９は追い焚き湯温を検知するセンサー、３０は追い焚き湯温を音声で知らせる外部入出力装置、２１は浴槽で２２は風呂アダプタである。２３は酸素富化膜、２４は空気を減圧して酸素富化膜の間に空気を通し、高酸素濃度の空気を得るための真空ポンプ、２５は酸素富化膜に新鮮空気を送るための送風ファンであり、この２３、２４、２５の３つで酸素富化装置２６を構成している。この真空ポンプ２４は酸素富化膜の下流側に配置されているので、酸素富化装置の薄い膜がフィルターの役目をし、真空ポンプにごみが詰まる恐れが無く真空ポンプ用のフィルターは不要である。
【００１６】
以上のように構成された酸素富化給湯装置について、以下その動作・作用を説明する。
【００１７】
混入手段２７によって酸素富化装置２６からの高濃度の酸素は追焚き回路２０の中の湯または水に混入され、この酸素が混入された湯または水が追い焚き湯温を検知するセンサー２９を経て浴槽２１に取りつけた噴出し方向を可変とした風呂アダプタ２２から噴出するときに、高濃度の酸素が気泡２８となって浴槽水の中を通過し、その後浴室内に充満するようになる。この結果、余分なスペースも不要となり、安価に作成も可能であるため、一般の家庭への設置も可能である。
【００１８】
さらに追い焚き湯温を音声で知らせる外部入出力装置３０を備えた構成とすることによって、前記風呂アダプタから噴出する追い焚き湯温に対してのユーザへの更なる注意を促すことが可能になる。
【００１９】
次に図２に風呂アダプタの噴出し方向可変手段を有した酸素富化給湯装置の一例を示す。
【００２０】
風呂アダプタ２２内に形状記憶合金３１を用い風呂アダプタ２２の噴出しノズル３２を可変し、温度がある一定の温度以上の場合はほぼ下向き３３に、それ以外の場合はほぼ水平向き３２になるように構成することにより入浴中のユーザに追い炊き湯を直接当てることなく安全に追い炊きが可能である。
【００２１】
【発明の効果】
以上のように本発明によれば、ポンプにより浴槽の湯を循環させる追い焚き循環回路を有する給湯機の前記追い焚き循環回路に、酸素富化装置からの高濃度の酸素を混入させ、浴槽内に取り付ける前記風呂アダプタの噴出し方向を可変としたことにより、少ない循環流量で入浴中のユーザおよび浴槽中央から浴槽全体に酸素を供給し、かつ入浴中のユーザに追い焚き湯を直接当てることがない安全に追い炊きが可能であり、さらには追い焚き湯温を検知するセンサーを備え外部入出力装置に表示、さらには音声で追い焚き湯温を知らせることにより、さらなるユーザへの安全が確保でき、ジェットバスのシステムを有することなく安価に取りつけでき、かつ循環流量も少ないので、長時間の酸素供給も可能な装置を提供することができる。
【図面の簡単な説明】
【図１】本発明の１実施例における酸素富化給湯装置の全体構成図
【図２】同酸素富化給湯装置における風呂アダプタの噴出方向可変手段を示す図
【図３】従来の酸素富化給湯装置の全体構成図
【符号の説明】
１８  ポンプ
２０  追い焚き循環回路
２１  浴槽
２２  追い焚きアダプタ
２６  酸素富化装置
２７  混入手段
２９  温度センサー
３０  外部入出力装置
３１  形状記憶合金（噴出方向可変手段）
【図１】
2004321381.tif 000003
【図２】
2004321381.tif 000004
【図３】
2004321381.tif 000005